(57)【特許請求の範囲】
【請求項１】
基地局無線装置と移動局装置とが無線通信を行う無線通信システムにおいて、
移動局装置は、自局の位置情報を取得し、当該位置情報を含む移動局装置波を、基地局無線装置へ送信する機能を備え、
基地局無線装置は、自システムエリア内の移動局装置の位置情報を管理し、移動局装置から移動局装置波を受信時に、当該移動局装置波に含まれる位置情報を特定し、当該位置情報が自システムエリア内であるか否かを判定することによって、自システムエリア内の移動局装置からの受信であるか、他システムエリアの移動局装置からの受信であるかを判断する機能を備え、
前記基地局無線装置は受信した電波により、移動局装置の位置情報による上記判断により、自システムエリア内の移動局装置からの受信であると判定した場合、上位装置へ電文を通知し、他システムエリアの移動局装置からの受信であると判定した場合、電文を破棄する、又は、前記移動局装置波の受信電界レベルを所定値より低い値で上位装置へ通知する機能を備えることを特徴とする無線通信システム。
【請求項２】
請求項１に記載の無線通信システムにおいて、
前記移動局装置は、自局の移動局装置番号情報と前記位置情報を含む移動局装置波を、前記基地局無線装置へ送信し、
前記基地局無線装置は、予め自システムエリアの移動局装置番号情報を自システム内に登録しておき、受信された移動局装置波の移動局装置番号情報と比較することによって、自システムエリア内の移動局装置からの受信であるか、他システムエリアの移動局装置からの受信であるかを判断する機能を備えることを特徴とする無線通信システム。
【請求項３】
請求項１又は請求項２に記載の無線通信システムにおいて、
前記基地局無線装置は、前記移動局装置から移動局装置波を受信時に、当該移動局装置波に含まれる位置情報を特定できない場合、他システムエリアの移動局装置からの受信であると判断することを特徴とする無線通信システム。
【発明の詳細な説明】
【技術分野】
【０００１】
本発明は、無線通信システムに関するものである。
【背景技術】
【０００２】
図１に無線通信システムの概略構成例を示す。
図１の無線通信システムは、例えば、消防救急用無線通信システムであって、音声データを伝送するチャネル１つに対して１つのキャリアを割り当てるＳＣＰＣ方式（Single  Channel  Per  Carrier）が用いられている。ＳＣＰＣ方式のデジタル無線システムは、デジタル通信方式標準規格ＡＲＩＢ  ＳＴＤ−Ｔ６１（非特許文献１）で規定されている。
図１において、無線通信システムは、通信卓１１、無線回線制御装置１２、基地局無線装置１３−１〜１３−Ｋ（基地局無線装置を代表するときは基地局無線装置１３と称する）、移動局装置１５１−１〜１５１−Ｎ，１５２−１〜１５２−Ｍ，１５Ｋ−１〜１５Ｋ−Ｌで構成されている。
なお、通信エリア１４−１は基地局無線装置１３−１の通信エリアであり、通信エリア１４−２は基地局無線装置１３−２の通信エリアであり、・・・、通信エリア１４−Ｋは基地局無線装置１３−Ｋの通信エリアである。
【０００３】
基地局無線装置１３−１は移動局装置１５１−１から送信された移動局装置波（周波数ＦＬ１）を受信する。基地局無線装置１３−２も移動局装置１５１−１から送信された移動局装置波（周波数ＦＬ１）を受信する。
従来、例えば、基地局無線装置１３−１，１３−２は移動局装置１５−１からの移動局装置波（周波数ＦＬ１）を受信すると、受信電文を無線回線制御装置１２へ通知する。基地局無線装置１３−１，１３−２から無線回線制御装置１２へ通知する電文には、受信電界レベルの情報が含まれており、無線回線制御装置１２では、移動局装置波（周波数ＦＬ１）の受信電界レベルを比較し、レベルが高い方を選択する。また、その後も、移動局無線装置１３−１からの移動局装置波（周波数ＦＬ１）の送信が継続される場合には、選択されなかった基地局無線装置１３も、定期的に受信電界レベルを通知し、受信電界レベルの判定は都度実施される。
無線回線制御装置１２は、選択した電文の内容を通信卓１１へ通知し、移動局装置１５−１から通信卓１１間の通話を実現する。
従来、基地局無線装置１３は受信した移動局装置波をそのまま無線回線制御装置１２に対して通知しており、移動局装置波の内容については判断を実施していない。そのため、周波数が一致すると他システムからの移動局装置波であっても自システムと同様に通知していた。
【０００４】
先行技術文献としては、例えば、特許文献１に、同一周波数を用いて下り送信を行う複数の基地局無線装置が、無線回線制御装置との間の伝送時間の相違に関わらず、互いに同じタイミングで下り送信を開始できるようにして、下り送信の相互干渉を抑制して不感地帯を低減させる発明が開示されている。
他の先行技術文献としては、例えば、特許文献２に、異なる無線通信システムの基地局の通信エリアに重複する箇所が存在する場合に、電波が干渉することなく音声を通知する発明が開示されている。
【先行技術文献】
【特許文献】
【０００５】
【特許文献１】特開２０１５−１４４４０８号公報
【特許文献２】特開２０１５−１９２１７０号公報
【非特許文献】
【０００６】
【非特許文献１】ＡＲＩＢ  ＳＴＤ−Ｔ６１  １．２版  「狭帯域デジタル通信方式（ＳＣＰＣ／ＦＤＭＡ）」  一般社団法人電波産業会
【発明の概要】
【発明が解決しようとする課題】
【０００７】
例えば、消防救急用無線通信システムにおいて運用波は、消防本部毎に割り当てられる「活動波」と、全国で共通に使用される「共通波」に分類される。隣接消防間においては、「活動波」は異なる周波数が割り当てられており、影響を受けることはないが、隣接消防以外には同一周波数の「活動波」を割り当てることがあり、同一周波数の「活動波」を使用する他消防救急用無線通信システムからの影響により、自システムとは関係のない通話を捕捉してしまうことがあり運用に支障を与えていた。特に他消防救急用無線通信システムからの同一周波数の「活動波」が高い受信レベルで受信する場合、自システムの移動局受信よりも優先されることがあり、運用に支障を与える可能性があった。
本発明の目的は、同一周波数を用いた無線通信システムの干渉を低減することである。
【課題を解決するための手段】
【０００８】
本発明の無線通信システムは、基地局無線装置と移動局装置とが無線通信を行う無線通信システムであって、基地局無線装置は自システムエリアの移動局装置番号情報を管理し、無線通信受信時に自システムエリアの移動局装置からの受信であるか、他システムエリアの移動局装置からの受信であるかを移動局装置の発信者番号情報に基づいて判断する機能を備え、基地局無線装置は移動局装置の発信者番号情報による上記判断により受信電波の優先度を決定する機能を備えることを特徴とする。
【０００９】
また、本発明の無線通信システムは、基地局無線装置と移動局装置とが無線通信を行う無線通信システムであって、基地局無線装置は自システムエリア内の移動局装置の位置情報を管理し、無線通信受信時に自システムエリア内の移動局装置からの受信であるか、他システムエリアの移動局装置からの受信であるかを移動局装置の位置情報に基づいて判断する機能を備え、基地局無線装置は受信した電波により、移動局装置の位置情報による上記判断により、受信電波の優先度を決定する機能を備えることを特徴とする。
【００１０】
また、本発明の無線通信システムは、基地局無線装置と移動局装置とが無線通信を行う無線通信システムであって、基地局無線装置は自システムエリア内の移動局装置番号情報と移動局装置の位置情報を管理し、無線通信受信時に自システムエリア内の移動局装置からの受信であるか、他システムエリアの移動局装置からの受信であるかを判断する機能を備え、基地局無線装置は受信した電波により、移動局装置の発信者番号情報と位置情報による上記判断により、受信電波の優先度を決定する機能を備えることを特徴とする。
【００１１】
また、本発明の無線通信システムは、上述の無線通信システムであって、基地局無線装置は、予め自システムエリアの移動局装置番号情報を自システム内に登録しておき、受信された移動局装置波の発信者番号情報と比較し、自システムエリア内の移動局であるか否かを判定し、自システムエリア内の移動局装置番号情報であれば上位装置へ電文を通知し、自システムエリア外の移動局装置であれば電文を破棄又は受信電界レベルを所定値より低い値で通知することで自システムの移動局装置からの受信を優先させることが好ましい。
【００１２】
また、本発明の無線通信システムは、上述の無線通信システムであって、基地局無線装置は、予め自システムエリア内の移動局装置の位置情報を自システム内に登録しておき、受信された移動局装置波の移動局装置の位置情報より自システムエリア内からの電波であるか否かを判定し、自システムエリア内の移動局位置情報であれば、上位装置へ電文を通知し、自システムエリア外の移動局装置であれば電文を破棄又は受信電界レベルを所定値より低い値で通知することで自システムエリアの移動局装置からの受信を優先させることが好ましい。
【００１３】
また、本発明の無線通信システムは、上述の無線通信システムであって、基地局無線装置は受信した移動局装置波に位置情報がある場合には、電文通知又は破棄に関わらず上位装置へ通知し、位置情報を上位装置にて設定することで、特定の位置情報を受信した際の基地局動作設定を行うことが好ましい。
【００１４】
さらに、本発明の無線通信システムは、上述の無線通信システムであって、基地局無線装置は上位装置からの設定により特定の移動局装置位置情報を登録し、登録した位置情報の移動局装置波を受信した際に移動局装置波受信機能のみを所定時間停止し、所定時間連続して登録した位置情報からの受信が無くなったことを自己判断して受信機能を自動復旧することが好ましい。
【発明の効果】
【００１５】
本発明によれば、同一周波数を用いた無線通信システムの干渉を低減することができる。
【図面の簡単な説明】
【００１６】
【図１】無線通信システムの概略構成例を示す図である。
【図２】本発明の一実施例である無線通信システムの動作を説明するためのフローチャートである。
【図３】本発明の他の一実施例である無線通信システムの動作を説明するためのフローチャートである。
【図４】本発明のさらに他の一実施例である無線通信システムの動作を説明するためのフローチャートである。
【発明を実施するための形態】
【００１７】
以下、本発明の実施形態について図面を参照して詳細に説明する。
図１に無線通信システムの概略構成例を示す。
図１において、無線通信システムは、通信卓（指令台、統制卓ともいう）１１、無線回線制御装置１２、基地局無線装置１３−１〜１３−Ｋ（基地局無線装置を代表するときは基地局無線装置１３と称する）、移動局装置１５１−１〜１５１−Ｎ，１５２−１〜１５２−Ｍ，１５Ｋ−１〜１５Ｋ−Ｌ（移動局装置を代表するときは移動局装置１５と称する）で構成されている。
【００１８】
なお、通信エリア１４−１は基地局無線装置１３−１の通信エリアであり、通信エリア１４−２は基地局無線装置１３−２の通信エリアであり、・・・、通信エリア１４−Ｋは基地局無線装置１３−Ｋの通信エリアである（通信エリアを代表するときは通信エリア１４と称する）。
また、移動局装置１５は、自装置の位置情報を取得するためのＧＰＳ（Global  Positioning  System）受信器を有していて、送信する移動局装置波に移動局装置固有の発信者番号情報と位置情報を重畳している。
【００１９】
通信卓１１は、オペレータの操作に基づいて、無線回線制御装置１２と基地局無線装置１３を介して、移動局装置１５と通信（通話、データ通信等）を行うものである。
無線回線制御装置１２は、通信卓１１、基地局無線装置１３と有線で接続されているが、無線等でもよい。また、無線回線制御装置１２は、移動局装置１５の呼の管理を行う。
基地局無線装置１３は、通信エリア（あるいは通信ゾーンとも言う。）１４を有し、同一の送信周波数（基地局無線装置１３から移動局装置１５への下り信号周波数：ＦＨ１）を用いて基地局無線装置１３から受信を行い、また、同一の受信周波数（移動局装置１５から基地局無線装置１３への上り信号周波数：ＦＬ１）を用いて基地局無線装置１３に対して送信を行うよう構成されている。
【００２０】
（実施例１）
次に、本発明に一実施例の無線通信システムの動作について図１と図２を用いて説明する。
図２は本発明の一実施例である無線通信システムの動作を説明するためのフローチャートである。実施例１では、自システムエリアの移動局装置番号情報である発信者番号情報と自システムエリア内の移動局装置の位置情報に基づいて基地局無線装置１３への電文の通知の要否を判断する。
基地局無線装置１３は、Ｓ２０１の処理で移動局装置１５から送信された移動局装置波（周波数ＦＬ１）を受信するとＳ２０２の処理に進む。
【００２１】
基地局無線装置１３は、「判定１」（Ｓ２０２）の処理では、移動局装置１５から送信された移動局装置波（周波数ＦＬ１）から発信者番号情報が特定できるかを判定し、発信者番号情報が特定できる場合（ＹＥＳ）にはＳ２０５の処理に進み、発信者番号情報が特定できない場合（ＮＯ）にはＳ２０３の処理に進む。
【００２２】
基地局無線装置１３は、Ｓ２０５の処理では、発信者番号情報から自システムの移動局装置であるか否かを判定し、自システムの移動局装置である場合（ＹＥＳ）にはＳ２０９の処理に進み、自システムの移動局装置でない場合（ＮＯ）にはＳ２０６の処理に進む。
基地局無線装置１３は、Ｓ２０９の処理では、無線回線制御装置１２に受信した電界レベル（例えば、−８０ｄＢｍ）で電文を通知し、Ｓ２０１の処理に戻る。
基地局無線装置１３は、Ｓ２０６の処理では、無線回線制御装置１２に受信した電文を通知しないで、Ｓ２０３の処理に進む。
【００２３】
次に、基地局無線装置１３は、「判定２」（Ｓ２０３）の処理では、移動局装置１５から送信された移動局装置波（周波数ＦＬ１）から位置情報が特定できるかを判定し、位置情報が特定できる場合（ＹＥＳ）にはＳ２０７の処理に進み、位置情報が特定できない場合（ＮＯ）にはＳ２０４の処理に進む。
【００２４】
基地局無線装置１３は、Ｓ２０４の処理では、無線回線制御装置１２に受信した電界レベルより所定値下げた電界レベル（例えば、受信した電界レベルが−８０ｄＢｍ場合には、所定値である２０ｄＢｍ下げた−１００ｄＢｍ）で電文を通知し、Ｓ２０１の処理に戻る。
【００２５】
基地局無線装置１３は、Ｓ２０７の処理では、移動局装置１５から送信された移動局装置波（周波数ＦＬ１）に含まれる位置情報が自システム内の位置情報であるか否かを判定し、自システム内の位置情報である場合（ＹＥＳ）にはＳ２０９の処理に進み、自システム内の位置情報でない場合（ＮＯ）にはＳ２０８の処理に進む。
【００２６】
基地局無線装置１３は、Ｓ２０８の処理では、無線回線制御装置１２に受信した電界レベルより所定値下げた電界レベル（例えば、受信した電界レベルが−７０ｄＢｍ場合には、所定値である２５ｄＢｍ下げた−９５ｄＢｍ）で電文を通知し、Ｓ２０１の処理に戻る。
【００２７】
すなわち、基地局無線装置１３の「判定２」の結果が、自システム内の位置情報からの移動局装置波であった場合には、“通知時間の短い”発信者番号情報が取れなかった自システムの移動局装置と判断し、無線回線制御装置１２へ受信電界レベルをそのまま通知する。
また、無線通信システムが消防救急用無線通信システムの場合は、自システム内にて他消防救急用無線通信システムの移動局装置が「活動波」を送信することはないため、その点からも自システムの移動局装置と判断できる。
また、基地局無線装置１３の「判定２」の結果が、位置情報が自システム外からであった場合には、他システムからの同一活動波の干渉と判断し、受信電界レベルを所定値よりも低く通知する。
【００２８】
本例では、無線回線制御装置１２に受信電界レベルを所定値よりも低く通知することで、自システムの移動局装置が同じタイミングで送信をした場合にも、受信電界レベルの比較において自システム側が優先的に選ばれる状態を作ることで干渉低減ができる。
さらに、基地局無線装置１３の「判定２」の結果が、位置情報が特定できない場合には、自システム／他システムの判断が出来ないため、受信電界レベルを所定値低く通知する。
【００２９】
基地局無線装置１３は、上記の「判定１」と「判定２」を実施することにより、他システムからの移動局波装置の電界レベルを低く通知し、自システムの移動局装置からの移動局装置波を優先的に受信することができるようになる。
【００３０】
（実施例２）
次に、本発明に他の一実施例の無線通信システムの動作について図１と図３を用いて説明する。
図３は本発明の他の一実施例である無線通信システムの動作を説明するためのフローチャートである。実施例２では、自システムエリアの移動局装置番号情報である発信者番号情報に基づいて基地局無線装置１３への電文の通知の要否を判断する。
基地局無線装置１３は、Ｓ２０１の処理で移動局装置１５から送信された移動局装置波（周波数ＦＬ１）を受信するとＳ２０２の処理に進む。
【００３１】
基地局無線装置１３は、「判定１」（Ｓ２０２）の処理では、移動局装置１５から送信された移動局装置波（周波数ＦＬ１）から発信者番号情報が特定できるかを判定し、発信者番号情報が特定できる場合（ＹＥＳ）にはＳ２０５の処理に進み、発信者番号情報が特定できない場合（ＮＯ）にはＳ２０４の処理に進む。
【００３２】
基地局無線装置１３は、Ｓ２０５の処理では、発信者番号情報から自システムの移動局装置であるか否かを判定し、自システムの移動局装置である場合（ＹＥＳ）にはＳ２０９の処理に進み、自システムの移動局装置でない場合（ＮＯ）にはＳ２０６の処理に進む。
基地局無線装置１３は、Ｓ２０９の処理では、無線回線制御装置１２に受信した電界レベル（例えば、−８０ｄＢｍ）で電文を通知し、Ｓ２０１の処理に戻る。
【００３３】
基地局無線装置１３は、Ｓ２０６の処理では、無線回線制御装置１２に受信した電文を通知しないで、Ｓ２０１の処理に戻る。
基地局無線装置１３は、Ｓ２０４の処理では、無線回線制御装置１２に受信した電界レベルより所定値下げた電界レベル（例えば、受信した電界レベルが−８０ｄＢｍ場合には、所定値である２０ｄＢｍ下げた−１００ｄＢｍ）で電文を通知し、Ｓ２０１の処理に戻る。
【００３４】
（実施例３）
次に、本発明に他の一実施例の無線通信システムの動作について図１と図４を用いて説明する。
図４は本発明のさらに他の一実施例である無線通信システムの動作を説明するためのフローチャートである。実施例３では、自システムエリア内の移動局装置の位置情報に基づいて基地局無線装置１３への電文の通知の要否を判断する。
基地局無線装置１３は、Ｓ２０１の処理で移動局装置１５から送信された移動局装置波（周波数ＦＬ１）を受信するとＳ２０２の処理に進む。
【００３５】
基地局無線装置１３は、「判定２」（Ｓ２０３）の処理では、移動局装置１５から送信された移動局装置波（周波数ＦＬ１）から位置情報が特定できるかを判定し、位置情報が特定できる場合（ＹＥＳ）にはＳ２０７の処理に進み、位置情報が特定できない場合（ＮＯ）にはＳ２０４の処理に進む。
【００３６】
基地局無線装置１３は、Ｓ２０４の処理では、無線回線制御装置１２に受信した電界レベルより所定値下げた電界レベル（例えば、受信した電界レベルが−８０ｄＢｍ場合には、所定値である２０ｄＢｍ下げた−１００ｄＢｍ）で電文を通知し、Ｓ２０１の処理に戻る。
【００３７】
基地局無線装置１３は、Ｓ２０７の処理では、移動局装置１５から送信された移動局装置波（周波数ＦＬ１）に含まれる位置情報が自システム内の位置情報であるか否かを判定し、自システム内の位置情報である場合（ＹＥＳ）にはＳ２０９の処理に進み、自システム内の位置情報でない場合（ＮＯ）にはＳ２０８の処理に進む。
【００３８】
基地局無線装置１３は、Ｓ２０８の処理では、無線回線制御装置１２に受信した電界レベルより所定値下げた電界レベル（例えば、受信した電界レベルが−７０ｄＢｍ場合には、所定値である２５ｄＢｍ下げた−９５ｄＢｍ）で電文を通知し、Ｓ２０１の処理に戻る。
【００３９】
（実施例４）
基地局無線装置１３は、さらに、予め自システムの通信エリア１４内に存在する移動局装置１５の移動局装置番号情報（発信者番号情報）を登録しておく。
基地局無線装置１３は、移動局装置１５から送信された移動局装置波を受信した場合に、受信した移動局装置波の発信者番号情報と、予め登録してある移動局装置番号情報とを比較判定し、自システムの通信エリア１４内の移動局装置１５と判定された場合には上位装置（通信卓１１または無線回線制御装置１２）に電文を通知し、自システムの通信エリア１４外の移動局装置１５と判定された場合には電文を破棄または受信電界レベルより所定値低くした電界レベルで通知する。
このようにすることにより、基地局無線装置１３は、自システムの移動局装置１５からの受信を優先することができる。
【００４０】
（実施例５）
基地局無線装置１３は、さらに、上位装置（通信卓１１または無線回線制御装置１２）からの設定により移動局装置１５の位置情報を登録し、登録した位置情報から移動局装置波を受信した際に特定の移動局装置波の受信機能のみを所定時間（例えば、５分間）停止する機能を有する。そして、所定時間（例えば、１０分間）連続して登録した位置情報からの受信が無くなったことを自己判断して受信機能を自動復旧する機能を有する。
上述の自動復旧する機能により、他システムからの同一活動波による妨害波を常時受信する状況が発生した場合にも、上位装置からの操作一つで妨害波を受信する基地局無線装置１３の受信のみを停止させることが可能となり、干渉によるシステム運用への影響を低減できる。
【００４１】
なお、他システムからの同一周波数活動波による干渉は特定環境（高い位置のアンテナを使用した移動局装置）の移動局装置からの受信となる傾向があるため、位置情報は同じ緯度・経度となる可能性が高く、特定の位置情報の特定の移動局装置に対して受信抑制をかけることで干渉低減の効果がある。
さらに、基地局無線装置１３は、受信した移動局装置波の情報を解析し、優先度を付けた受信通知を上位装置へ通知することで他システムからの同一周波数の活動波による干渉低減ができる。
【００４２】
本発明の実施形態である無線通信システムは、同一周波数を用いた無線通信システムの干渉を低減することができる。
【００４３】
以上、本発明の一実施形態について詳細に説明したが、本発明は上述した実施形態に限定されるものではなく、本発明の趣旨を逸脱しない範囲で種々変更して実施することができる。
【産業上の利用可能性】
【００４４】
基地局無線装置が自エリアの移動局装置の移動局装置番号情報または位置情報を管理することによって、同一周波数を用いた干渉を低減したい用途に適用できる。
【符号の説明】
【００４５】
１１：通信卓、１２：無線回線制御装置、１３，１３−１〜１３−Ｋ：基地局無線装置、１４，１４−１〜１４−Ｋ：通信エリア、１５，１５１−１〜１５１−Ｎ，１５２−１〜１５２−Ｍ，１５Ｋ−１〜１５Ｋ−Ｌ：移動局装置。
【図１】
0006629622.tif 000002
【図２】
0006629622.tif 000003
【図３】
0006629622.tif 000004
【図４】
0006629622.tif 000005